(57)【特許請求の範囲】
【請求項１】
電子回路が搭載されたカードを挿抜可能に装着するソケットと、前記電子回路を制御する制御回路とが搭載される電子装置用基板において、前記ソケットに前記カードが装着されていないときに前記制御回路を電圧基準線に接続し前記ソケットに前記カードが装着されたとき前記制御回路を前記電圧基準線から切り離すスイッチ回路を搭載したことを特徴とする電子装置用基板。
【請求項２】
請求項１に記載の電子装置用基板において、前記電圧基準線は電源線またはアース線であることを特徴とする電子装置用基板。
【請求項３】
請求項１または２に記載の電子装置用基板において、前記電子回路はメモリ回路であり、前記制御回路はメモリアクセス回路であることを特徴とする電子装置用基板。
【請求項４】
請求項１乃至３のいずれかに記載の電子装置用基板において、前記スイッチ回路は、カードの挿抜状態を光線の遮蔽／通過で検出する光スイッチ回路であることを特徴とする電子装置用基板。
【請求項５】
請求項１乃至請求項３のいずれかに記載の電子装置用基板において、前記スイッチ回路は、カードの挿／抜状態で接点が機械的に断／続するスイッチ回路であることを特徴とする電子装置用基板。
【請求項６】
メモリを搭載したメモリカードを挿抜可能に装着するソケットと、前記メモリをアクセスするメモリアクセス回路とが搭載され、前記メモリアクセス回路は前記ソケットにメモリカードが装着されていない場合にアース接続される必要がある電子装置用基板において、前記ソケットに対する前記メモリカードの挿／抜状態に連動して前記メモリアクセス回路とアースとの接続を断（オフ）／続（オン）するスイッチ回路を設けたことを特徴とする電子装置用基板。
【請求項７】
電子装置用基板に搭載され電子回路搭載カードを挿抜可能に装着するソケットにおいて、前記電子回路を制御する制御回路と電圧基準線との接続を断／続するスイッチ回路であって前記電子回路搭載カードの前記ソケットへの挿／抜状態に連動するスイッチ回路を具えることを特徴とするスイッチ機能付きソケット。
【発明の詳細な説明】
【０００１】
【発明の属する技術分野】
本発明はコンピュータ等の電子装置に使用するメインボード（マザーボード）の様な電子装置用基板に関し、特に、電子回路搭載カード等を挿／抜可能に装着するソケットを具える電子装置用基板とそのソケットに関する。
【０００２】
【従来の技術】
例えば、メモリを電子装置用基板に搭載する場合、メモリ搭載量が電子装置のコストに大きく響くため、メモリ用のソケットを幾つか基板に取り付けておき、どれだけメモリを搭載するかはユーザの判断に任せる構成になっている。このメモリとして様々な種類のものが存在するが、近年では、ランバス社方式のメモリが使用されるようになってきている。
【０００３】
このラムバス社方式のメモリは、次世代メモリとして注目を集めると共にその規格化が進み、この次世代メモリであるＲＩＭＭ（ラムバス社の商標）モジュールを搭載する電子装置の普及が広まってきている。
【０００４】
【発明が解決しようとする課題】
ランバス社方式のメモリは、メモリアクセス回路がメインボード側に搭載されており、ソケットにメモリモジュールが装着されていない状態では、そのソケットに対応するメモリアクセス回路をアース接続する必要がある。
【０００５】
このため、例えばＲＩＭＭ用ソケットが３本搭載されたメインボードで１本のソケットのみメモリを装着し、残りの２本のソケットを空き状態にする場合、その２本のソケットに対応するメモリアクセス回路をアース接続しなければならない。また、空き状態としているソケットにメモリを装着したときは対応するメモリアクセス回路のアース接続を切断しなければならない。
【０００６】
このアース接続あるいは切断の作業は、従来はメインボード上のジャンパーピンを手作業で短絡／解放させていたが、この作業は面倒であると共にジャンパーピンが小さいため作業ミスにも繋がり、電子装置の組立コストを増大させる一因になっている。
【０００７】
本発明の目的は、ソケットへの電子回路搭載ボード（カード）の挿／抜に伴って行わなければならないアース接続／遮断の作業を容易に且つ確実に行い電子装置の組立コストを低減する電子装置用基板とスイッチ機能付きソケットを提供することにある。
【０００８】
【課題を解決するための手段】
上記目的は、電子回路が搭載されたカードを挿抜可能に装着するソケットと、前記電子回路を制御する制御回路とが搭載される電子装置用基板において、前記ソケットに前記カードが装着されていないときに前記制御回路を電圧基準線に接続し前記ソケットに前記カードが装着されたとき前記制御回路を前記電圧基準線から切り離すスイッチ回路を搭載することで、達成される。
【０００９】
上記目的はまた、ラムバス社方式のメモリを搭載したメモリカードを挿抜可能に装着するソケットと、前記メモリをアクセスするメモリアクセス回路とが搭載される電子装置用基板において、前記ソケットに対する前記メモリカードの挿／抜状態に連動して前記メモリアクセス回路とアースとの接続を断（オフ）／続（オン）するスイッチ回路を設けることで、達成される。
【００１０】
上記目的はまた、電子装置用基板に搭載され電子回路搭載カードを挿抜可能に装着するソケットにおいて、前記電子回路を制御する制御回路と電圧基準線との接続を断／続するスイッチ回路であって前記電子回路搭載カードの前記ソケットへの挿／抜状態に連動するスイッチ回路を具えることで、達成される。
【００１１】
スイッチ回路によって、電子回路搭載カードのソケットへの挿／抜動作に連動して自動的にアース接続の断／続を行うため、電子装置の組み立てが容易になると共にアース接続の断／続作業を容易かつ確実に行える。
【００１２】
【発明の実施の形態】
以下に本発明の一実施形態を添付の図面を参照して説明する。
図１は、本発明の一実施形態に係るスイッチ機能付きソケットを説明するための図である。電子装置用基板には、メモリアクセス回路１と、ラムバス社方式のメモリカード（モジュール形式で電子回路（この例ではメモリ）を搭載していても、また、ボード形式その他の形式で電子回路を搭載していてもよい。本明細書ではこれらを「カード」という。）２を装着する図示しないソケット（カードエッジコネクタ）と、スイッチ回路４とが搭載されている。
【００１３】
メモリアクセス回路１は、ソケットにメモリカード２が装着されていない状態では、スイッチ回路４を介してアース（グランドまたは電源線の様に、電子装置用基板上における基準電圧となる電圧基準線をいう。）３に接続されている。そして、ソケットにメモリカード２が装着されると、スイッチ回路４がアース３とメモリアクセス回路１との接続を該メモリカード２の装着状態に連動して自動的に遮断すると同時に、ソケット及びスイッチ回路４を介してメモリカード２の接続端子とメモリアクセス回路１とを接続し、メモリアクセス回路１がメモリをアクセスできるようになっている。
【００１４】
図２は、光スイッチ回路を用いた電子装置用基板の要部を示す構成図である。この実施形態に係る基板１０上には、ランバス社方式のメモリを挿／抜自在に装着できるソケット１１が搭載されており、メモリアクセス回路１２も搭載されている。
【００１５】
ソケット１１を挟んだ両脇の一方側には、発光ダイオードの様な光源１３が設けられており、他方側には光源１３からの光線を受光するフォトダイオード１４が設けられている。光源１３は、例えばこの電子装置用基板１０の電源線から電力供給を受け発光する。
【００１６】
フォトダイオード１４には、アノードに接続されたアノード端子１４ａとカソードに接続されたカソード端子１４ｂとが設けられており、光源１３からの光線を受光したときアノード・カソード間は導通し、受光しないときアノード・カソード間は遮断されるようになっている。
【００１７】
メモリアクセス回路１２は、ソケット１１内の図示しない端子（メモリカード側の端子パッドに接触する端子）に接続されると共にフォトダイオード１４のアノード端子１４ａに接続されている。また、電子装置用基板１０のアース線１５に、フォトダイオード１４のカソード端子１４ｂが接続されている。
【００１８】
このような構成により、メモリカードがソケット１１に装着されていない状態では、光源１３からの光線は遮蔽されずにフォトダイオード１４に受光される。これにより、フォトダイオード１４のアノード・カソード間は導通状態になり、メモリアクセス回路１２はこのフォトダイオード１４のアノードとカソードを介してアース線１５に接続される。
【００１９】
ソケット１１に図示しないメモリカードが挿入されると、該メモリカードにより光源１３からの光線が遮蔽される。これにより、フォトダイオード１４は受光することができなくなり、アノード・カソード間は遮断され、メモリアクセス回路１２とアース線１５との接続は、メモリカードの挿入という操作に連動して自動的に切り離される。
【００２０】
ソケット１１からメモリカードを抜去すると、光源１３からの光線は遮蔽されなくなるため、フォトダイオード１４のアノード・カソード間は導通状態となり、メモリカードの抜去という操作に連動して自動的にメモリアクセス回路１２とアース線１５とは接続される。
【００２１】
尚、この実施形態では、赤外線のような光線を用いたが、直進性の優れた電磁波でも良いことは言うまでもない。また、フォトダイオードの代わりにフォトトランジスタや他の光スイッチ素子を使用することも可能である。
【００２２】
図３は、機械的なスイッチ機能を設けたソケットの構成図である。図示しない電子装置用基板上には、メモリアクセス回路２０と、ソケット２１と、アース線２２とが設けられている。
【００２３】
ソケット２１の内壁の一方側には多数の端子２１ａが設けられており、これらの端子２１ａはメモリアクセス回路２０に接続されている。ソケット２１の内壁の他方側にも、各端子２１ａに対向する多数の端子２１ｂが設けられており、これらの端子２１ｂはアース線２２に接続されている。
【００２４】
端子２１ａと端子２１ｂは、例えば燐青銅製の板金を打ち抜いて形成されており、図示するように、下端側において互いに近接する方向に屈曲され、両者は、接触状態となっている。従って、ソケット２１にカードが挿入されていない状態では、メモリアクセス回路２０は、端子２１ａおよび端子２１ｂを介してアース線２２に接続されている。
【００２５】
メモリカード２５の基板２６には、メモリチップ２７が搭載されていると共に基板２６のエッジ部分には、前記の各端子２１ａに対応する多数の端子パッド２８が設けられており、各端子パッド２８は、配線２９によりメモリチップ２７に接続されている。
【００２６】
このメモリカード２５のエッジ部分をソケット２１に挿入すると、端子２１ａと端子２１ｂとはカード挿入動作に伴って離間し、メモリアクセス回路２０とアース線２２とは遮断されると共に、メモリアクセス回路２０とメモリカード２５の端子パッド２８とは端子２１ａを介して接続される。
【００２７】
メモリカード２５をソケット２１から抜去すると、端子２１ａと端子２１ｂとはそれぞれの弾性力により復帰して両者は接触し、これにより、カード抜去に連動して自動的にメモリアクセス回路２０とアース線２２とは接続される。
【００２８】
以上述べたように、上述した各実施の形態によれば、カードの挿入／抜去という作業に連動して自動的にメモリアクセス回路とアース線との遮断／接続を行うことができるので、電子装置の組立作業が容易になると共にこの遮断／接続を確実に行うことが可能となる。
【００２９】
尚、上述した実施の形態では、ラムバス社方式のメモリカードとメモリアクセス回路を例に説明したが、本発明はこれに限定されるものではなく、電子回路搭載カードの挿／抜状態に応じて当該電子回路の制御回路をアース線に遮断／接続する必要がある場合にも同様に適用できることはいうまでもない。
【００３０】
【発明の効果】
本発明によれば、電子回路搭載カードのソケットへの挿／抜という作業に連動してその制御回路と電圧基準線との遮断／接続を自動的に制御できるので、作業が容易になると共に確実な遮断／接続が可能となり、電子装置の組立コストの低減と共に装置の信頼性も向上する。
【図面の簡単な説明】
【図１】本発明の一実施の形態に係るスイッチ機能付きソケットを説明するための図である。
【図２】光スイッチ回路を用いたソケットを搭載する電子装置用基板の要部の構成を示す図である。
【図３】機械式スイッチ回路を用いたソケットの一例を示す図である。
【符号の説明】
１，１２，２０  電子回路の制御回路（メモリアクセス回路）
２，２５        電子回路搭載カード（メモリカード）
３，１５，２２  電圧基準線（アース線）
４              スイッチ回路
１０            電子装置用基板
１１，２１      ソケット
１３            光源
１４            フォトダイオード
２１ａ，２１ｂ  端子
【図１】
0003584850.tif 000002
【図２】
0003584850.tif 000003
【図３】
0003584850.tif 000004